【手続補正書】
【提出日】平成20年9月19日(2008.9.19)
【手続補正１】
【補正対象書類名】特許請求の範囲
【補正対象項目名】全文
【補正方法】変更
【補正の内容】
【特許請求の範囲】
【請求項１】
第１の液晶表示部と、前記第１の液晶表示部の上側に視認側を同一にして配置される第２の液晶表示部と、を有する液晶表示装置において、
前記第１の液晶表示部は、透過モード又は反射モードの少なくとも一方の表示モードを有し、
前記第２の液晶表示部は、透過モードと反射モードの２つの表示モードを有し、
前記第２の液晶表示部は、前記第１の液晶表示部より最大消費電力が小さい、
ことを特徴とする液晶表示装置。
【請求項２】
前記第１の液晶表示部を照射するために前記第１の液晶表示部の下側に配置されたバックライトを更に有する、請求項１に記載の液晶表示装置。
【請求項３】
前記バックライトを点灯し、前記第１の液晶表示部をオン状態とし、前記第２の液晶表示部をオフ状態とする第１の状態と、
前記バックライトを消灯し、前記第１の液晶表示部をオフ状態とし、前記第２の液晶表示部をオン状態とする第２の状態とを切り替える、請求項２記載の液晶表示装置。
【請求項４】
前記第２の液晶表示部は、前記第１の液晶表示部よりも画素数が少ない請求項１〜３の何れか一項に記載の液晶表示装置。
【請求項５】
前記第１の液晶表示部はパッシブ駆動によるドットマトリクス駆動され、前記第２の液晶表示部はスタティック駆動される、請求項１〜４の何れか一項に記載の液晶表示装置。
【請求項６】
前記第２の液晶表示部はパッシブ駆動され、前記第１の液晶表示部はアクティブ駆動される、請求項１〜５の何れか一項に記載の液晶表示装置。
【請求項７】
前記第２の液晶表示部は、スタティック駆動又はドットマトリクス駆動される、請求項６に記載の液晶表示装置。
【請求項８】
前記第１の液晶表示部と前記バックライトとの間に配置された第１の吸収型偏光板と、
前記第２の液晶表示部の上側に配置された第２の吸収型偏光板と、
前記第１の液晶表示部と前記第２の液晶表示部との間に配置され、前記第２の液晶表示部に入射した外光を反射するための反射型偏光板と、
を更に有する請求項２〜７の何れか一項に記載の液晶表示装置。
【請求項９】
前記第１の液晶表示部が高分子散乱型の液晶表示部である、請求項１〜８の何れか一項に記載の液晶表示装置。
【請求項１０】
前記反射型偏光板と前記第１の液晶表示部との間に配置された第３の吸収型偏光板を更に有する請求項８に記載の液晶表示装置。
【請求項１１】
前記反射型偏光板と前記第１の液晶表示部との間に配置された位相差板を更に有する、請求項８に記載の液晶表示装置。
【請求項１２】
前記第２の液晶表示部と前記反射型偏光板との間に配置された色偏光板を更に有する請求項８に記載の液晶表示装置。
【請求項１３】
前記反射型偏光板と前記第１の液晶表示部との間に配置された第３の吸収型偏光板を更に有する請求項１２に記載の液晶表示装置。
【請求項１４】
前記第１の液晶表示部と前記バックライトとの間に配置された第１の吸収型偏光板と、
前記第２の液晶表示部の上側に配置された第２の吸収型偏光板と、
前記第１の液晶表示部と前記第２の液晶表示部との間に配置された第４の吸収型偏光板とを有し、
前記第１の液晶表示部が前記第２の液晶表示部に入射した外光を反射可能な半透過型の液晶表示部である、請求項２〜７の何れか一項に記載の液晶表示装置。
【請求項１５】
前記第１の液晶表示部と前記バックライトとの間に配置された第１の吸収型偏光板と、
前記第２の液晶表示部の上側に配置された色偏光板と、
前記第１の液晶表示部と前記第２の液晶表示部との間に配置され、前記第２の液晶表示部に入射した外光を反射するための反射型偏光板と、
を更に有する請求項２〜７の何れか一項に記載の液晶表示装置。
【請求項１６】
前記反射型偏光板と前記第１の液晶表示部との間に配置された第３の吸収型偏光板を更に有する請求項１５に記載の液晶表示装置。
【請求項１７】
液晶表示装置であって、
第１の液晶表示部と、
前記第１の液晶表示部の表示画像を透過可能に前記第１の液晶表示部の上側に配置される第２の液晶表示部と、
前記第１の液晶表示部を照射するために前記第１の液晶表示部の下側に配置されたバックライトと、
前記第１の液晶表示部がオン状態の場合に前記第１の液晶表示部を透過した前記バックライトからの光を透過し、前記第２の液晶表示部がオフ状態の場合に前記第２の液晶表示部を透過した光を反射する反射型偏光板と、
を有することを特徴とする液晶表示装置。
【手続補正２】
【補正対象書類名】明細書
【補正対象項目名】００２６
【補正方法】変更
【補正の内容】
【００２６】
本発明に係る液晶表示装置は、第１の液晶表示部と、第１の液晶表示部の表示画像を透過可能に第１の液晶表示部の上側に配置される第２の液晶表示部と、第１の液晶表示部を照射するために第１の液晶表示部の下側に配置されたバックライトと、第１の液晶表示部がオン状態の場合に第１の液晶表示部を透過した前記バックライトからの光を透過し且つ第２の液晶表示部がオフ状態の場合に第２の液晶表示部を透過した光を反射する反射型偏光板を有することを特徴とする。
【手続補正３】
【補正対象書類名】明細書
【補正対象項目名】００６６
【補正方法】変更
【補正の内容】
【００６６】
図７（ｃ）は、半透過型液晶パネル１１の所定の画素に対応する液晶に駆動電圧が印加されていない状態を示している。この場合、バックライト３０から第２の吸収型偏光板１０３に入射した光（Ｌ２）は、第２の吸収型偏光板１０３によってその偏光軸と平行な方向（図の左右方向）の直線偏光成分を有する光のみが透過し、半透過型液晶パネル１１に入射する。半透過型液晶パネル１１に入射した光は、入射した直線偏光成分の光の偏光方向を略９０度捻って透過する。第２の吸収型偏光板１０３の偏光軸と半透過型液晶パネル１１の半透過反射膜の透過軸は、半透過型液晶パネル１１を透過した光の偏光方向と平行に設定されているため、半透過型液晶パネル１１に入射した光は、半透過型液晶パネル１１、第４の吸収型偏光板１０４を透過して第２液晶パネル２０に入射する。第２液晶パネル２０はオフ状態であるため、第２液晶パネル２０に入射した光は、入射した直線偏光成分の光の偏光方向を略９０度捻って透過する。第２液晶パネル２０を透過した光の偏光方向は第１の吸収型偏光板１００と平行であるため、第２液晶パネル２０を透過した光は第１の吸収型偏光板１００を透過して、液晶表示装置の視認側に出射する。この場合、所定画素は、観察者の視認側では、明るい表示（白表示）となる。
【手続補正４】
【補正対象書類名】明細書
【補正対象項目名】００６８
【補正方法】変更
【補正の内容】
【００６８】
このように、図６に示す液晶表示装置３においても、半透過型液晶パネル１１を透過型として利用する場合には第２液晶パネル２０をオフとし、第２液晶パネル２０を反射型として利用する場合には半透過型液晶パネル１１をオフとして利用している。即ち、何れか一方の液晶パネルを利用する場合には、他方の液晶パネルをオフとして液晶表示装置全体の消費電力を低減させることができる。また、液晶表示装置３においても、半透過型液晶パネル１１を透過型として利用する場合に、半透過型液晶パネル１１を透過した光が、半透過型液晶パネル１１の半透過反射膜を透過するように設定されている。
【手続補正５】
【補正対象書類名】明細書
【補正対象項目名】００７７
【補正方法】変更
【補正の内容】
【００７７】
図１０に示す液晶表示装置６は、図２に示す液晶表示装置１と比べて、第２液晶パネル２０と反射型偏光板１０１との間に、色偏光板１２０を挿入した点、及び反射型偏光板１０１と第１液晶パネル１０の間に配置された第３の吸収型偏光板１０２を削除した点のみが異なっている。色偏光板１２０は、図９に示す液晶表示装置５と同様に、図３（ａ）において、反射型偏光板１０１から反射されて観測者の視認側に戻ってくる外光に所望の色を付ける機能を有している。したがって、色偏光板１２０が、Ｂ色偏光板である場合には、第２液晶パネル２０を反射型として利用する場合に、明るい表示が青色表示となる。
【手続補正６】
【補正対象書類名】明細書
【補正対象項目名】００８０
【補正方法】変更
【補正の内容】
【００８０】
図１１に示す液晶表示装置７は、図２に示す液晶表示装置１と比べて、第２液晶パネル２０の視認側に配置された第１の吸収型偏光板１００の代わりに色偏光板１２２を挿入した点のみ異なっている。色偏光板１２２は、図３（ａ）において、反射型偏光板１０１から反射されて観測者の視認側に戻ってくる外光に所望の色を付ける機能を有している。したがって、色偏光板１２２が、Ｂ色偏光板である場合には、第２液晶パネル２０を反射型として利用する場合に、明るい表示が青色表示となる。
【手続補正７】
【補正対象書類名】明細書
【補正対象項目名】００８３
【補正方法】変更
【補正の内容】
【００８３】
図１２に示す液晶表示装置８は、図２に示す液晶表示装置１と比べて、第２液晶パネル２０の視認側に配置された第１の吸収型偏光板１００の代わりに色偏光板１２２を挿入した点、及び反射型偏光板１０１と第１液晶パネル１０の間に配置された第３の吸収型偏光板１０２を削除した点のみが異なっている。色偏光板１２２は、図１１に示す液晶表示装置７と同様に、図３（ａ）において、反射型偏光板１０１から反射されて観測者の視認側に戻ってくる外光に所望の色を付ける機能を有している。したがって、色偏光板１２２が、Ｂ色偏光板である場合には、第２液晶パネル２０を反射型として利用する場合に、明るい表示が青色表示となる。